(57)【要約】      （修正有）【課題】使用前および使用後の使用者にとって極めて簡単且つ確実にトイレットペーパーの先端部を引き出せ、構成部品数が少なく構造が簡素で安価に組み立てられ、保守管理も最小限にできるトイレットペーパー用ホルダーを提供する。【解決手段】円筒形状にロール巻きされたトイレットペーパーＰを回転可能に支持する左右一対の支持板２と、該一対の支持板２の上端付近間に丁番５を介して垂直方向に沿って回転可能に取り付けられたカバー４とを含み、該カバー４においてペーパーＰの回転方向に沿って形成された長孔７と、該長孔７をペーパーＰの径方向に沿って貫通する軸８ｂと、該軸８ｂの下部側に垂直方向に沿って回転可能に取付けられた平面視がチャンネル形状の当て材１０ｃとを備え、該当て材１０ｃの下部には、側面視でペーパーＰの最外周面に対し、斜めに当接する傾斜辺１８が設けられている。【選択図】図４
0003220660.tif 000002
【実用新案登録請求の範囲】
【請求項１】
円筒形状にロール巻きされたトイレットペーパー(Ｐ)を水平状の姿勢で且つ回転可能に支持する左右一対の支持板(２)と、
上記一対の支持板(２)の上端付近間に丁番(５)を介して垂直方向に沿って回転可能に取り付けられたカバー(４)と、を含むトイレットペーパー用ホルダー(１)であって、
上記カバー(４)において上記トイレットペーパー(Ｐ)の回転方向に沿って形成された長孔(７)と、
上記長孔(７)を上記トイレットペーパー(Ｐ)の径方向に沿って貫通する軸(８，８ａ)と、
上記軸(８，８ａ)の上端に取付けられた摘まみ(９)と、
上記軸(８，８ａ)の下端に接続され且つ上記トイレットペーパー(Ｐ)の最外周面に当接する当て材(１０，１０ａ，１０ｂ)と、を備えている、
ことを特徴とするトイレットペーパー用ホルダー(１)。
【請求項２】
円筒形状にロール巻きされたトイレットペーパー(Ｐ)を水平状の姿勢で且つ回転可能に支持する左右一対の支持板(２)と、
上記一対の支持板(２)の上端付近間に丁番(５)を介して垂直方向に沿って回転可能に取り付けられたカバー(４)と、を含むトイレットペーパー用ホルダー(１ａ)であって、
上記カバー(４)において上記トイレットペーパー(Ｐ)の回転方向に沿って形成された長孔(７)と、
上記長孔(７)を上記トイレットペーパー(Ｐ)の径方向に沿って貫通する軸(８ｂ)と、
上記軸(８ｂ)の上端に取付けられた摘まみ(９ａ)と、
上記軸(８ｂ)の下部側に垂直方向に沿って回転可能に取り付けられた平面視がチャンネル形状の当て材(１０ｃ)と、を備え、
上記当て材(１０ｃ)の下部には、側面視で上記トイレットペーパー(Ｐ)の最外周面に対し、斜めに当接する傾斜辺(１８)が設けられている、
ことを特徴とするトイレットペーパー用ホルダー(１ａ)。
【請求項３】
前記軸(８)の断面形状は、前記長孔の長軸方向に沿った長辺または長軸を有する長方形状、長円形状、あるいは楕円形状である、
ことを特徴とする請求項１または２に記載のトイレットペーパー用ホルダー(１，１ａ)。
【請求項４】
前記カバー(４)の先端辺には、カット刃(６)が形成されている、
ことを特徴とする請求項１乃至３の何れか一項に記載のトイレットペーパー用ホルダー(１，１ａ)。
【請求項５】
前記当て材(１０，１０ａ，１０ｂ)は、前記トイレットペーパー(Ｐ)の軸方向に沿った長辺を有する長方形状を呈する、
ことを特徴とする請求項１，３，４の何れか一項に記載のトイレットペーパー用ホルダー。
【請求項６】
前記当て材(１０ａ，１０ｂ)の底面には、水平方向に沿って交互に位置する複数ずつの凸条と凹溝(１３)、あるいは水平方向に沿った単一の凸条(１１)が形成されている、
ことを特徴とする請求項１乃至５の何れか一項に記載のトイレットペーパー用ホルダー(１)。
【請求項７】
前記軸(８ｂ)の側面には、チャンネル形状の前記当て材(１０ｃ)の回転角度を規制するストッパー(１４)が突設されている、
ことを特徴とする請求項２乃至４の何れか一項に記載のトイレットペーパー用ホルダー(１，１ａ)。
【考案の詳細な説明】
【技術分野】
【０００１】
本考案は、ロール巻きされ且つ水平姿勢に支持されたトイレットペーパーに用いるトイレットペーパー用ホルダーに関する。
【背景技術】
【０００２】
例えば、ロール巻きされ且つ水平姿勢に支持されたトイレットペーパーの先端部を容易に手前側に引き出すため、前記ペーパーの上側を覆うカバーに前記ペーパーの回転方向に沿った長孔を形成し、該長孔内に挿入した指先、あるいは前記カバーの下面側にスライド可能なフォーク形状の引っ掛け片を含む治具を取り付けたトイレットペーパーホルダが提案されている（例えば、特許文献１参照）。
【０００３】
しかし、前記カバーの長孔に指先を挿入して、トイレットペーパーの外周面を手前側に回転させる操作は、使用後はもちろん使用前の使用者にとって煩わしい手間になると共に、前記ペーパーの最外周面付近を傷付けるおそれがあった。
更に、前記カバーに形成した長孔を貫通する治具のカバー底面側に、先端側がフォーク形状の引っ掛け片をスライド可能に装着する形態では、該引っ掛け片の後端側における上記カバーの底面側に、コイルスプリングを水平状の姿勢で配置するために、該カバー付近の構造が複雑となり、且つ構成部品の総数も多く、組み立てが煩雑になると共に、保守管理の手間も過大となる、などの問題があった。
【先行技術文献】
【特許文献】
【０００４】
【特許文献１】登録実用新案第３２１２９７８号公報（第１〜７頁、図１〜６）
【考案の概要】
【考案が解決しようとする課題】
【０００５】
本考案は、背景技術で説明した問題点を解決し、使用前および使用後の使用者にとって極めて簡単且つ確実にトイレットペーパーの先端部を引き出せると共に、構成する部品数が少なく構造が簡素で且つ安価に組み立てられ、保守管理の手間も最小限にできるトイレットペーパー用ホルダーを提供する、ことを課題とする。
【課題を解決するための手段および考案の効果】
【０００６】
本考案は、前記課題を解決するため、トイレットペーパーを水平状の姿勢で且つ回転可能に支持する左右一対の支持板と、これらの上端付近間に垂直方向に沿って回転可能に取り付けられたカバーとを含み、該カバーに上記ペーパーの回転方向に沿った長孔を形成し、該長孔を貫通する軸の下端に上記ペーパーの外周面に当接する当て材を取り付ける、ことに着想して成されたものである。
即ち、本考案による第１のトイレットペーパー用ホルダー（請求項１）は、円筒形状にロール巻きされたトイレットペーパーを水平状の姿勢で且つ回転可能に支持する左右一対の支持板と、該一対の支持板の上端付近間に丁番を介して垂直方向に沿って回転可能に取り付けられたカバーと、を含むトイレットペーパー用ホルダーであって、上記カバーにおいて上記トイレットペーパーの回転方向に沿って形成された長孔と、該長孔を上記トイレットペーパーの径方向に沿って貫通する軸と、該軸の上端に取付けられた摘まみと、前記軸の下端に接続され且つ上記トイレットペーパーの最外周面に当接する当て材と、を備えている、ことを特徴とする。
【０００７】
第１のトイレットペーパー用ホルダーは、以下の効果（１）〜（３）を有する。
（１）前記軸または摘まみを指先で摘まみ、前記軸を前記長孔の手前側に引き下げる簡単な操作だけで、前記当て材との接触摩擦により、前記トイレットペーパーを上記長孔のほぼ長軸相当分の長さで簡単に手前側に回転できる。従って、使用前はもちらん、使用後の使用者にとって、極めて簡単な操作でトイレットペーパーの先端部をその幅方向の全体で手前側に容易且つ確実に引き出すことができる。
（２）構成する部品数が少なく構造が簡素で且つ安価に組み立てことができる。
（３）構成部品数が少なく、且つ構造が簡素であるため、変形、破損、および故障が少なくなることにより、保守管理の手間も最少限にすることができる。
【０００８】
尚、前記トイレットペーパーには、幅（軸）方向に沿った複数のミシン目が等間隔に配設された形態のほか、該ミシン目がない形態も含まれる。
また、前記一対の支持板は、対向する内側面でトイレットペーパーの芯孔を貫通する芯棒を水平に支持するか、あるいは、各々の内側面にバネ圧で前記芯孔内に挿入可能となる軸支片を回転可能または出没可能に有している。
更に、前記一対の支持板は、これらの背面側で水平な背面板により、接続された形態のほか、互いに独立してトイレの壁面に固定された形態であっても良い。
また、前記カバーに形成する長孔は、該カバーの幅方向における中間に１つを設けた形態、あるいは前記カバーの幅方向において複数個を設け、個々の長孔ごとを貫通する複数の前記軸における上端部を水平に接続した軸を用いても良い。
更に、前記軸は、ステンレス鋼などの各種の金属材料または硬質樹脂からなり、その軸方向の長さは、前記カバーの厚みに最小限の透く間わ加えた長さとしても良い。
また、前記摘まみは、円柱形状や多角柱状のほか、平坦な角板形状や丸板形状としても良い。
更に、前記摘まみは、前記軸の上端部を兼用させた形態とすることもできる。
加えて、前記当て材の材料は、その底面がトイレットペーパーに適度の接触摩擦を生じるものであれば、各種の合成樹脂や金属材料を素材として適用できる。
【０００９】
また、本考案による第２のトイレットペーパー用ホルダー（請求項２）は、円筒形状にロール巻きされたトイレットペーパーを水平状の姿勢で且つ回転可能に支持する左右一対の支持板と、該一対の支持板の上端付近間に丁番を介して垂直方向に沿って回転可能に取り付けられたカバーと、を含むトイレットペーパー用ホルダーであって、前記カバーにおいて上記トイレットペーパーの回転方向に沿って形成された長孔と、該長孔を上記トイレットペーパーの径方向に沿って貫通する軸と、該軸の上端に取付けられた摘まみと、前記軸の下部側に垂直方向に沿って回転可能に取り付けられた平面視がチャンネル形状の当て材と、を備え、前記当て材の下部には、側面視で上記トイレットペーパーの最外周面に対し、斜めに当接する傾斜辺が設けられている、ことを特徴とする。
【００１０】
前記第２のトイレットペーパー用ホルダーによれば、前記効果（１）〜（３）に加えて、更に以下の効果（４）が得られる。
（４）使用者が前記摘まみを前記手前側に引いて前記トイレットペーパーの先端側を前記カバーよりも手前側に引き出し、所要の長さに亘って使用した後、前記摘まみを前記長孔に沿って奥側（丁番側）に引き上げ（引き戻し）た際に、前記チャンネル形状の当て材は、若干斜め上方に回転するので、前記傾斜辺が上記トイレットペーパーの最外周面に引っ掛かることなく、その最外周面を滑るようにスムーズに奥側に移動する。従って、使用後におけるトイレットペーパーの不用意な巻き戻しを確実に解消することができると共に、次の使用者の利用にも支障を来すことが皆無になる。
【００１１】
更に、本考案には、前記軸の断面形状は、前記長孔の長軸方向に沿った長辺または長軸を有する長方形状、長円形状、あるいは楕円形状である、トイレットペーパー用ホルダー（請求項３）も含まれる。
これによれば、前記軸を前記カバーに形成された長孔の長軸に沿って確実にスライドでき、且つ該軸および当て材の不用意な回転を阻止できるので、前記効果（１）をより確実に得られる。
また、本考案には、前記カバーの先端辺には、カット刃が形成されている、トイレットペーパー用ホルダー（請求項４）も含まれる。
これによれば、使用後において、前記カバーの先端辺に形成されたカット刃により、ミシン目がないか、ミシン目から外れた位置における前記トイレットペーパーの先端側が該ペーパーの幅方向に沿って直線状にカットされ、前記軸や摘まみのスライド操作により、上記ペーパーの先端部が幅方向全体で直線状にして引き出されるので、前記効果（１）を一層確実に得られる。
尚、前記カバーの先端辺は、前記カット刃のない形態であっても良い。
【００１２】
更に、本考案には、前記当て材は、前記トイレットペーパーの軸方向に沿った長辺を有する長方形状を呈する、トイレットペーパー用ホルダー（請求項５）も含まれる。
これによれば、前記当て材が前記トイレットペーパーの軸方向に沿った長方形状であるため、該当て材が前記ペーパーの最外周面に対し、ある程度の幅方向の長さで接触するため、上記ペーパーの先端部を確実に手前側に引き出すことができる。従って、前記効果（１）を更に確実に得られる。
尚、前記長方形状には、細長い長円形状や細長い楕円形状なども含まれる。
【００１３】
また、本考案には、前記当て材の底面には、水平方向に沿って交互に位置する複数ずつの凸条と凹溝、あるいは水平方向に沿った単一の凸条が形成されている、トイレットペーパー用ホルダー（請求項６）も含まれる。
これによれば、前記当て材の底面に、水平方向に沿って交互に位置する前記複数ずつの凸条と凹溝、あるいは水平方向に沿った単一の凸条が形成されているので、回転させるべきトイレットペーパーの紙質や表面性状に応じて、最適の接触摩擦が容易に実現可能となる。しかも、前記軸や摘まみを前記長孔の手前側に引き下げた後、該長孔の奥（上端）側に引き上げ操作する場合にも、最適の接触摩擦を容易に得ることができる。従って、前記効果（１）を顕著且つ確実に得られると共に、前記効果（４）を奏することも可能となる。
尚、前記複数ずつの凸条と凹溝は、側面視がＶ字形状の凸条と、逆Ｖ字形状の凹溝とが交互に位置する形態のほか、いわゆる鋸刃形状の形態としても良い。
また、前記単一の凸条とは、下向きの山形状、または下向きの蒲鉾形状である。
【００１４】
加えて、本考案には、前記軸の側面には、前記チャンネル形状の当て材の回転角度を規制するストッパーが突設されている、トイレットペーパー用ホルダー（請求項７）も含まれる。
これによれば、前記使用後におけるトイレットペーパーの不用意な巻き戻しを防ぐため、前記チャンネル形状の当て材を斜め上方に回転させた際に、過度に上方側に回動する事態を防げると共に、引き上げ後には、自重により下方側に回動してトイレットペーパーの最外周面に当接するので、次の使用者のレ用に支障がなくなるので、前記効果（４）を長期間に亘って安定させ得る。
【図面の簡単な説明】
【００１５】
【図１】（Ａ）は本考案による第１のトイレットペーパー用ホルダーを示す斜視図、（Ｂ）は前記ホルダーで操作部を構成する軸、摘まみ、当て材を示す斜視図、（Ｃ）は前記軸の断面を含む上記ホルダーのカバーの部分拡大図。
【図２】（Ａ），（Ｂ）は前記第１のトイレットペーパー用ホルダーにおける使用状態の変化を示す概略図。
【図３】（Ａ），（Ｂ）は前記当て材の異なる形態を示す部分側面図、（Ｃ）は異なる形態の軸付近を示す概略図。
【図４】（Ａ）は本考案による第２のトイレットペーパー用ホルダーを示す斜視図、（Ｂ）は前記ホルダーで操作部を構成する軸、摘まみ、当て材を示す斜視図、（Ｃ）はこれらの正面図、（Ｄ）はこれらの側面図。
【図５】（Ａ），（Ｂ）は上記第２のトイレットペーパー用ホルダーにおける使用状態の変化を示す概略図、（Ｃ）は（Ｂ）中の部分拡大図。
【考案を実施するための形態】
【００１６】
以下において、本考案を実施するための形態について説明する。
図１（Ａ）は、本考案による第１のトイレットペーパー用ホルダー１を示す斜視図である。尚、以下おいて、トイレットペーパーは、Ｔペーパーと略記する。
上記Ｔペーパー用ホルダー１は、図１（Ａ）に示すように、左右（図示で前後）一対の支持板２と、該一対の支持板２の上端付近同士間に水平な丁番５を介して垂直方向に沿って回転可能に取り付けられたカバー４と、該カバー４の水平（幅）方向における中間位置にＴペーパーＰの回転方向に沿って形成された長孔７と、該長孔７をＴペーパーＰのほぼ径方向に沿って貫通する軸８と、該軸８の上端に取り付けた円柱形状の摘まみ９と、を備えている。
前記左右一対の支持板２は、金属薄板または樹脂板からなり、側面視が三角形状を呈すると共に、図１（Ａ）で右側の先端側（使用者側）では、ＴペーパーＰの芯孔内を貫通する芯棒２ａを水平状に支持している。
また、前記カバー４も、金属薄板または樹脂板からなり、側面視で、図１（Ａ）の左側に位置する平坦部と、同図で右側の先端側に位置するアール部とからなる。該アール部の先端辺には、多数のギザギザ（凹凸）形状のカット刃６が形成されている。尚、該カバー４は、上記アール部のない全体が平坦面状としても良いし、先端辺にカット刃６がない形態としても良い。
【００１７】
図１（Ｂ）は、前記ホルダー１の操作部である軸８、摘まみ９、当て材１０を示す斜視図であり、図１（Ｃ）は、前記軸８の断面を含む上記ホルダー１におけるカバー４の部分拡大図である。
図１（Ｂ）に示すように、前記軸８の下端には、前記ＴペーパーＰの軸方向に沿った一対の対向する長辺を有する長方形状の当て材１０が取り付けられている。該当て材１０は、硬質樹脂（例えば、ＡＢＳ樹脂）の板材からなる。
上記当て材１０の底面は、次述するように、上記ＴペーパーＰにおける上側の最外周面に適度の摩擦を伴って当接し、該摩擦によってＴペーパーＰをその円周方向に沿って回転させるものである。
また、前記軸８の断面形状は、図１（Ｃ）に示すように、前記カバー４の長孔７における長軸方向に沿って対向する一対の長辺を有する長方形状を呈している。そのため、該軸８が不用意に回転せず、前記当て材１０の長辺を常に前記ＴペーパーＰの軸方向に沿った姿勢に保つことができる。
【００１８】
前記第１のＴペーパー用ホルダー１の使用状態を、図２（Ａ），（Ｂ）により説明する。
尚、前記当て材１０を有する軸８は、予め、前記長孔７の上端部付近に待しており、その位置は、記Ｔペーパー用ホルダー１の軸芯よりも前記丁番５側にある。
トイレを使用し終わった使用者（何れも図示せず）は、図２（Ａ）中の実線の矢印で示すように、前記摘まみ９を自己の指先で摘まみ、該摘まみ９がカバー４の先端辺であるカット刃６側に近付くように、該摘まみ９を前記長孔７に沿ってスライドさせる。
すると、上記摘まみ９および軸８を介して、該軸８の下端に位置する前記当て材１０の底面が、最外周面に当接している前記ＴペーパーＰを時計回り方向に沿って、上記長孔７のほぼ長軸相当分の距離（長さ）だけ回転させる。
【００１９】
その結果、図２（Ａ）において、前記カバー４の下側にほとんど隠れていた前記ＴペーパーＰの先端部ｐ１は、図２（Ｂ）に示すように、上記カバー４の先端辺であるカット刃６よりも、使用者の手前下方側に引き出された先端部ｐ２となる。係る先端部ｐ２は、上記ＴペーパーＰの幅方向のほぼ全長に亘って、上記カバー４の先端辺よりも、使用者の手前側に垂れ下がって引き出されている。
従って、使用者にとって、上記ＴペーパーＰの引き出し操作が極めて簡単にでき、該ＴペーパーＰの先端部ｐ２を指先で手前側に更に引っ張ることにより、当該ＴペーパーＰを所望の長さにして素早く利用することができる。
【００２０】
更に、図２（Ｂ）中の破線の矢印で示すように、前記摘まみ９を前記長孔７に沿って、カバー４の丁番５側に近付くように、前記と反対向きにスライドさせる。その結果、前記図２（Ａ）で示した状態に復帰させることができる。この際には、前記当て板１０の底面と前記ＴペーパーＰの最外周面との摩擦が小さくなるように、上記摘まみ９を心持ち浮かせつつスライド回転させることが望ましい。これにより、不用意なＴペーパーＰの逆回転（戻り回転）を防止できる。
【００２１】
加えて、前記と同様に、摘まみ９をカバー４の先端側であるカット刃６側に近付くように、再度スライドさせて、前記図２（Ｂ）で示した状態にすることにより、次の使用者にとって好都合となる。
そのため、前記カバー４の外側面、あるいは該トイレの内壁面に、「使用後は、次の方のために摘まみ（９）を一旦引き下げた後、奥側に引き上げて下さい」とのメッセージを、刻印しておくか、または注意書きボードを貼り付けておくことにより、当該トイレにおける使用者のマナーを向上させることも可能となる。
よって、以上のような第１のＴペーパー用ホルダー１によれば、前記効果（１）〜（３）を確実に得ることができる。
【００２２】
図３（Ａ）は、前記と異なる形態の当て材１０ａを示す部分側面図である。
該当て材１０ａは、図示のように、前記当て材１０の底面に逆蒲鉾（逆ドーム）形状の垂直断面を有する当接片１１を接着したものである。該当接片１１は、合成ゴム、天然ゴム、または比較的軟質の樹脂などの高摩擦材料からなり、前記ＴペーパーＰとの接触部を該ＴペーパーＰの軸方向に平行な直線状に限定することができる。
従って、前記図２（Ａ）に示した状態から前記図２（Ｂ）に示した状態にする際に、ＴペーパーＰを引き出す際の操作を少ない力で軽く行えると共に、図２（Ｂ）に示す状態から前記図２（Ａ）に示す状態に戻すべく、摘まみ９を引き上げる際には、前記ＴペーパーＰの不用意な逆回転を抑制することが容易となる。
尚、上記当接片１１は、本考案における単一の凸条である。
【００２３】
図３（Ｂ）は、更に異なる形態の当て材１０ｂを示す部分側面図である。
該当て材１０ｂは、前記同様の硬質樹脂などからなり、図３（Ｂ）に示すように、全体が板形状の本体１２の底面に、側面視でいわゆる鋸刃形状を呈する複数ずつの凸条と凹溝１３を、前記ＴペーパーＰの軸方向に沿って一体に形成したものである。前記凸条および凹溝１３を底面に有する当て材１０ｂを用いることにより、前記図２（Ａ）の状態から前記図２（Ｂ）の状態に確実に前記ＴペーパーＰを回転させられ、更に、図２（Ｂ）の状態から図２（Ａ）の状態にスムーズに復帰させることができる。
【００２４】
図３（Ｃ）は、異なる形態の軸８ａ付近を示す概略図である。
図示のように、軸８の下部に二股部８ａを連設して設け、該二股部８ａごとの下端に１つの当て材１０を取り付けると共に、前記カバー４に水平方向に２つの長孔７を形成しておき、該長孔７ごとに上記二股部８ａの縦片を個別に貫通させ、該縦片同士間に１つの当て材１０を水平に取り付け、前記ＴペーパーＰの最外周面に前記当て材１０ｂを当接させるものである。
上記二股部８ａを含む軸８と、２つの長孔７を設けたカバー４とを用いたＴペーパーホルダー１によっても、前記同様の効果（１）〜（３）が得られる。
尚、上記当て材１０ｂに替えて、前記当て材１０，１０ａを用いても良い。
【００２５】
図４（Ａ）は、本考案による第２のトイレットペーパー用ホルダー１ａを示す斜視図、（Ｂ）は、該ホルダー１ａで操作部を構成する軸８ｂ、摘まみ９ａ、当て材１０ｃを示す斜視図、（Ｃ）、（Ｄ）は、これらの正面図と側面図である。
上記Ｔペーパー用ホルダー１ａは、図４（Ａ）に示すように、前記同様である一対の支持板２、カバー４、該カバー４に形成しカット刃６および長孔７を有している。前記長孔７には、図４（Ｂ）〜（Ｄ）に示すように、該長孔７の長軸方向に沿った長辺を有し、且つ水平断面が長方形状の軸８ｂが、前記ＴペーパーＰのほぼ径方向に沿って貫通している。該軸８ｂの上端には、平面視が正方形状で且つ薄板状の摘まみ９ａが、当該軸８ｂの軸方向と直交状に接続されている。
【００２６】
また、図４（Ｂ）〜（Ｄ）に示すように、前記軸８ｂにおける前記カバー４の先端側には、平面視がチャンネル形状の当て材１０ｃが、当該軸８ｂの両側面に一対のピン２０を介して、垂直方向に沿って回転可能に取付けられている。該当て材１０ｃは、前記ピン２０が上部を個別に貫通する左右一対の縦片１６と、該縦片１６ごとの下部から斜め先端側に延びた左右一対の斜め辺１７と、該一対の斜め辺１７同士の先端部を水平方向に沿って接続する水平片１５とからなっている。
上記一対の斜め辺１７の下辺ごとには、傾斜辺１８が個別に位置し、該傾斜辺１８と水平片１５の前面とは、図４（Ｄ）に示すように、側面視で水平片１５の前面が垂直姿勢に近い姿勢の鋭角の突出部を形成している。
更に、上記軸８ｂにおける一方の側面には、上記当て材１０ｃの縦片１６の前方に突出する直方体形状のストッパー１４が突設されている。
【００２７】
前記のような第２のトイレットペーパー用ホルダー１ａの使用状態を、図５（Ａ），（Ｂ）により説明する。
図５（Ａ）に示すように、トイレを使用し終わった使用者（図示せず）は、同図中の実線の矢印で示すように、前記摘まみ９ａの前後を自己の指先で摘まみ、該摘まみ９ａがカバー４の先端辺であるカット刃６側に近付くように、該摘まみ９ａを前記長孔７に沿ってスライドさせる。
すると、上記摘まみ９ａおよび軸８ｂを介して、該軸８ｂの下側に位置する前記当て材１０ｃにおける前記水平片１５の前面と前記傾斜辺１８とを含む側面視が鋭角の突出部分が、最外周面に対し斜めに当接している前記ＴペーパーＰを時計回り方向に沿って、前記長孔７のほぼ長軸相当分の距離（長さ）だけ回転させる。
【００２８】
その結果、図５（Ａ）において、前記カバー４の下側に隠れていた前記ＴペーパーＰの先端部ｐ１は、図５（Ｂ）に示すように、上記カバー４の先端辺であるカット刃６よりも、使用者の手前下方側に引き出された先端部ｐ２となる。この先端部ｐ２は、上記カバー４の先端辺よりも、使用者の手前側に引き出される。
これにより、使用者にとって、上記ＴペーパーＰの引き出し操作が極めて簡単にでき、該ＴペーパーＰの先端部ｐ２を指先で手前側に更に引っ張ることで、当該ＴペーパーＰを所望の長さで素早く利用できる。
更に、図５（Ｂ）中の破線の矢印で示すように、前記使用者は、使用後において、前記摘まみ９ａを長孔７の長軸方向沿って、カバー４の丁番５側に近付くように、前記と反対向きに引き上げる（引き戻す）操作を行う。
【００２９】
この際、図５（Ｃ）に示すように、前記当て材１０ｃは、前記ピン２０を中心として図示で反時計方向に沿って跳ね上がるように若干回転する。そのため、該当て材１０ｃの前記傾斜辺１８は、前記ＴペーパーＰの最外周面の上を滑るようにスライドする。その結果、前記引き上げ操作を行っても、上記ＴペーパーＰの不用意な巻き戻しを確実に防ぐことができる。しかも、次の使用者に対し、図５（Ａ）のように、直ちにＴペーパーＰを引き出す操作を保証することにも繋がる。
従って、以上のような第２のトイレットペーパー用ホルダー１ａによれば、前記効果（１）〜（３）に加えて、更に前記効果（４）を奏することができる。
【００３０】
本考案は、以上において説明した形態に限定されるものではない。
例えば、前記左右一対の支持板２およびカバー４の組は、２組以上を水平方向に沿って連設した形態としても良い。
また、前記支持板２ごとの内側面には、ＴペーパーＰの芯孔内にバネ圧によって挿入可能で、且つ水平方向に回転可能または出没可能な軸支片を有する形態としても良い。
更に、前記摘まみ９は、前記円柱形状に限らず、多角柱形状、平板形状、日本刃などの柄形状、航空機の操縦桿形状、動物などの手足形状、あるいは、各種キャラクターの手脚形状を模した外観を呈する形態として良い。
また、前記軸は、三つ股部を含むものとし、前記カバー４に設けた３つの長孔７を個別に貫通する縦片を下側に連設した形態としても良い。
加えて、前記当て材１０ａの底面は、単一の逆山形状としても良く、前記当て材１０ｂの底面は、側面視がＶ字形状の凸条と、逆Ｖ字形状の凹溝とが交互に位置する形態としても良い。あるいは、前記当て材１０の底面に、滑り止め用の地荒らし加工を施した形態や、多数の突起群を下向きに設けた形態としても良い。
【産業上の利用可能性】
【００３１】
本考案によれば、使用前後の使用者にとって簡単且つ確実にトイレットペーパーの先端部を引き出せ、構成部品数が少なく構造が簡素で且つ安価に組み立てられ、保守管理も最小限にできるＴペーパー用ホルダーを確実に提供できる。
【符号の説明】
【００３２】
１，１ａ…………………トイレットペーパー用ホルダー
２…………………………支持板
４…………………………カバー
５…………………………丁番
６…………………………カット刃
７…………………………長孔
８，８ａ，８ｂ…………軸
９，９ａ…………………摘まみ
１０，１０ａ〜１０ｃ…当て材
１１………………………単一の凸条
１３………………………複数ずつの凸条および凹溝
１４………………………ストッパー
１８………………………傾斜辺
Ｐ…………………………トイレットペーパー
【図１】
0003220660.tif 000003
【図２】
0003220660.tif 000004
【図３】
0003220660.tif 000005
【図４】
0003220660.tif 000006
【図５】
0003220660.tif 000007